(57)【要約】【課題】横引タイプの転写具において、小型化を図りつつ、転写時の視認性や持ちやすさを損なうことなく、右利き、左利きに関係なく、基材の搬送が良好で使用しやすい転写具を提供する。【解決手段】本発明の転写具１は、送出軸部３及び巻取軸部４を積層すると共に筐体２を転写部５の転写テープの搬送面幅中央から送出軸部３及び巻取軸部４の軸２Ｃを結んだ線を対称軸Ｌとして使用者の手前と反手前側で略対称に形成し、かつ該対称軸Ｌの同一線上で転写部５と送出軸部３及び巻取軸部４との間に１本のガイドピン６を設けて、該ガイドピン６の一方端側と他方端側で送出側と巻取側の基材の搬送を案内するよう構成し、さらにガイドピン６に離型性材料で形成されたローラ７を設ける構成とした。【選択図】図２
2015074211.tif 000002
【特許請求の範囲】
【請求項１】
筐体内に、基材に転写媒体が塗布された転写テープが巻装された送出軸部、転写テープの基材を巻き取る巻取軸部、転写媒体を被転写体へ転写する転写部を備え、転写テープを前記送出軸部及び前記巻取軸部の軸と直交するように捻って搬送する経路を有すると共に前記送出軸部及び前記巻取軸部の軸と直交する対向面を被転写体に対して寝かせて使用する転写具において、前記送出軸部及び前記巻取軸部を積層すると共に前記筐体を前記転写部の転写テープの搬送面幅中央から前記送出軸部及び前記巻取軸部の軸を結んだ線を対称軸として使用者の手前と反手前側で略対称に形成し、かつ該対称軸の同一線上で転写部と前記送出軸部及び前記巻取軸部との間に１本のガイドピンを設けて、該ガイドピンの一方端側と他方端側で送出側と巻取側の基材の搬送を案内するよう構成し、さらに前記ガイドピンに離型性材料で形成されたローラを設けたことを特徴とする転写具。
【請求項２】
ガイドピンにおける一方端側と他方端側の各々の中央に、外径が拡大又は縮小した部位を形成し、このガイドピンに柔軟性の高い離型性材料で形成されたローラを設けることを特徴とする請求項１記載の転写具。
【発明の詳細な説明】
【技術分野】
【０００１】
本発明は、送出軸部及び巻取軸部の軸と直交する面を被転写体に対して水平状にして使用するいわゆる横引タイプの転写具において、小型化を図りつつ、転写時の視認性や持ちやすさを損なうことなく、右利き、左利きに関係なく搬送が良好で使用しやすい転写具に関するものである。
【背景技術】
【０００２】
転写媒体を紙などの被転写体に転写する転写具は、主要構成として、筐体内に、基材に転写媒体が塗布された転写テープが巻装された送出軸部、転写テープのうちの転写媒体が被転写体へ転写された後の基材を巻き取る巻取軸部、及び転写テープの転写媒体を被転写体へ転写する転写部を備えている。なお、以下、特別に転写テープ、転写媒体を説明しない限り、送出側における転写テープ、巻取側における基材、を総称して「基材」と言うこととする。
【０００３】
転写具は、筐体から露出した転写部を被転写体に向けて押しつけたまま、被転写体上で全体を移動させることにより、基材と被転写体との相対移動が送出軸部の送出駆動力（及び巻取軸部の巻取駆動力）となって、送出軸部から基材が引き出され（巻取軸部で基材が巻き取られ）、この基材の搬送時に転写部において基材上の転写媒体が被転写体へ転写される。
【０００４】
転写具は、使い勝手の多様化に応えるべく、筐体における、送出軸部及び巻取軸部の軸と直交する面（以下、「対向面」という）を被転写体に対して、斜め、つまり該対向面を被転写体に面するように寝かして、転写部における基材の搬送面と平行となるようにして使用する種類（以下、これを「横引タイプ」という）と、直交、つまり該対向面を被転写体に対して立てて、転写部における基材の搬送面と直交となるように使用する種類（以下、これを「縦引タイプ」という）と、が存在する。
【０００５】
縦引タイプの転写具は、筐体全体において前記対向面のそれぞれの外側を押さえて（掴んで）使用する。一方、横引タイプの転写具は、筐体全体において前記対向面を被転写体に対して寝かせるようにし、該筐体の一方及び他方の対向面の辺縁に連続して直交状に形成された筐体としての厚みとなる部位（以下、「側面」という）を把持して使用する。
【０００６】
本願において前提とする横引タイプの転写具は、一般的に、筐体を寝かして該筐体の側面を把持して使用するので、筐体を手が被転写体を転写部位の邪魔にならず、視認性に優れて使いやすいという利点と、比較的幅の広い側面を把持することから持ちやすく使いやすいという利点と、を有している。
【０００７】
転写具は、基材の、特に送出軸部から転写部までの搬送経路を直線化することで、搬送不良を予防できる関係上、巻取軸部と送出軸部とを筐体の側面方向の一方に大きく張り出し、他方の側面形状を直線状するようにすることが一般的である。
【０００８】
例えば縦引タイプでは、被転写体側の側面形状を直線状にして、送出軸部からの基材の搬送経路を直線化している。この関係で横引タイプも右利きの場合の使用者の手前又は反手前における側面を張り出し、送出軸部からの基材の搬送経路を直線化するようにしている。
【０００９】
ここで、縦引タイプでは、右手で転写具を把持し、横書き文書の場合、左から右へ該転写具を移動させる（引く）右利き使用であっても、左手で転写具を把持して横書き文書の場合、右から左へ該転写具を移動させる（引く）、あるいは左から右へ該転写具を移動させる（押す）左利き使用であっても、上記した側面形状の張り出しは、右利き、左利きを問わず、把持する位置（対向面）ではないので、特段、気になることはない。
【００１０】
ところが、例えば特許文献１に示すような一般的な横引タイプの転写具では、上記した側面形状の張り出しは使用者の手前側に位置する場合と反手前側に位置する場合とがあり、右利き使用の場合と、左利き使用の場合とで、この手指に対する張り出し位置が異なって、使用感も異なる場合がある。
【００１１】
そこで、こうした横引タイプの転写具の利き手の使用感の相違を解消するには、側面形状の張り出しを使用者の手前と反手前とで均一的に、つまり横引タイプにおける転写部の基材搬送幅中央を軸に側面両方向に同じだけ張り出すように構成することが考えられる。
【００１２】
横引タイプの転写具は、送出軸部と巻取軸部の軸方向に対して転写部における基材の搬送面が直交している。つまり送出軸部と巻取軸部では基材はその面が軸周面と平行とされるが、転写部においてはその面が直交となる。したがって、基材は送出軸部から転写部、転写部から巻取軸部、の各搬送経路において基材の面が９０°捻られている。
【００１３】
基材を９０°捻るには、上記特許文献１にも示されるとおり、基材の搬送経路において、送出側と巻取側とで各々１本ずつ合計２本のガイドピンが対向面間に送出軸部と巻取軸部の軸と平行に立設する必要がある。
【００１４】
このガイドピンの位置は横引タイプの転写具における基材の搬送に大きく関係しており、基材は上記のとおり搬送経路の送出側と巻取側でそれぞれのガイドピンで各々９０°捻るが、その際、ガイドピンの位置、すなわち転写部の転写面幅方向を中心とする距離によっては、基材の幅方向の両端でテンションの差が生じる。
【００１５】
基材は、幅方向両端において捻る軌道上、転写部の搬送面幅方向中心に対する外側（遠側）に、内側（近側）より高いテンションがかかり、転写部においては搬送面の幅方向両端で前記テンション差に起因してテンションの高い側へ向かう斜行搬送が生じる。
【００１６】
基材の斜行搬送が生じると、被転写体上で意図する箇所に正確に転写媒体を転写できないことがあるうえ、転写部の搬送面の両端にガイド壁が設けられている場合は該ガイド壁に擦れて基材（送出経路においては転写媒体）の幅方向端部が損傷し、ガイド壁が設けられていない場合は転写部の搬送面から基材がはみ出て脱線する場合がある。
【００１７】
この斜行搬送を回避するには、転写部と送出軸部の間にガイドピンを転写部の搬送面の（幅方向）中心線よりも外方、かつ、転写部と巻取軸部の間に設けたガイドピンを該中心線よりも内方、の条件を満たすように配設する構成が考えられる。
【００１８】
ところが、ガイドピンを１本設ける場合、右利きの使用者を想定した側面形状の張り出しが使用者の手前側に位置する側面形状の転写具では設計上の余裕があるが、該張り出しが使用者の手前と反手前で均等にした筐体形状の横引タイプの転写具では、ガイドピン１本で送出側と巻取側の基材の搬送を案内することができず、どうしてもガイドピンが２本必要となってしまう。
【００１９】
単純にガイドピンを２本設けるとしても、この場合、２本のうちのいずれか又は両方のガイドピンが基材の転写部の転写面幅中央と送出軸部の軸中心とを結んだ仮想線（以下、「パスライン」という）を外れると、基材幅において経路の遠い側が近い側よりテンションが高い状態が生じ、結局のところ、基材が蛇行しやすくなってしまう。この現象は小型の転写具に顕著であると共に、小型であれば当然に内部空間にガイドピンを２本設けることも困難な場合も生じる。
【００２０】
上記の点を解消するためには、次の構成とすることが考えられる。例えば特許文献２〜５に示す転写具のように、送出軸部と巻取軸部を同軸で積層する転写具を採用し、パスライン上に１本のガイドピンを立設して該ガイドピンの軸方向の一方端と他方端で基材を案内するようにすれば、ガイドピンが内部空間を占める割合も減り、横引タイプに固有の基材のテンション差による斜行、右利き、左利きの使用感の相違が解消できる。
【００２１】
しかしながら、特許文献２〜５を中心とした上記構成（以下、従来構成という）においても次の問題が生じる。まず、送出軸部における転写テープの巻装は、通常、転写媒体が外側（基材に対して外周側）とされている。この理由は、転写媒体が内側（基材に対して内周側）に位置すると、巻装状態から送り出されるときに転写媒体が送り出される基材から剥離しやすくなり、巻装状態の基材に転写媒体が残留するいわゆるブロッキングが生じやすいからである。
【００２２】
上記理由により転写テープは、通常、基材の外側に転写媒体を塗布して巻装している。ところが、従来構成、すなわち、送出軸部と巻取軸部を同軸で積層し、１本のガイドピンをパスライン上に配置した構成では、送出側の搬送経路において基材の外側に塗布されている転写媒体が該ガイドピンと接触し、転写部に到達する前に、ガイドピンに転写媒体が取られて（付着して）しまい、この結果、転写テープの機能を果たさない、あるいはガイドピンが円滑に基材をガイドせず、使用上の問題が生じることとなる。
【先行技術文献】
【特許文献】
【００２３】
【特許文献１】特開２００５−１８７１７６号公報
【特許文献２】特開２０００−３５５１９２号公報
【特許文献３】特表２０００−５０６１０９号公報
【特許文献４】特表２０００−５１４７２５号公報
【特許文献５】特開平８−２６７９９２号公報
【発明の概要】
【発明が解決しようとする課題】
【００２４】
解決しようとする問題点は、横引タイプの転写具において、筐体の側面形状の張り出しが使用者の手前側と反手前側とで均等にすると共にガイドピンの偏りに起因した基材の蛇行を抑制しようとして、送出軸部と巻取軸部を同軸で積層し、かつガイドピンをパスライン上に１本設けた構成としてもなお、転写テープの転写媒体が該ガイドピンの周面に接触して基材搬送（走行）及び使用に障害が生じる点である。
【課題を解決するための手段】
【００２５】
本発明は、筐体内に、基材に転写媒体が塗布された転写テープが巻装された送出軸部、転写テープの基材を巻き取る巻取軸部、転写媒体を被転写体へ転写する転写部を備え、転写テープを前記送出軸部及び前記巻取軸部の軸と直交するように捻って搬送する経路を有すると共に前記送出軸部及び前記巻取軸部の軸と直交する対向面を被転写体に対して寝かせて使用する転写具において、前記送出軸部及び前記巻取軸部を積層すると共に前記筐体を前記転写部の転写テープの搬送面幅中央から前記送出軸部及び前記巻取軸部の軸を結んだ線を対称軸として使用者の手前と反手前側で略対称に形成し、かつ該対称軸の同一線上で転写部と前記送出軸部及び前記巻取軸部との間に１本のガイドピンを設けて、該ガイドピンの一方端側と他方端側で送出側と巻取側の基材の搬送を案内するよう構成し、さらに前記ガイドピンに離型性材料で形成されたローラを設けたことを最も主要な特徴とする。
【発明の効果】
【００２６】
上記構成とすることで、基材の外側（外周）に塗布された転写媒体は送り出しの搬送経路において、ガイドピンに設けたローラが回転すること及び該ローラが離型性材料で形成されていることから、転写媒体が該ローラに付着しても基材から剥がれることがなく、よって転写テープの機能を確実に果たし、かつ走行上の支障となることがない。
【図面の簡単な説明】
【００２７】
【図１】図１は本発明の転写具の全体構造を示す巻取軸部が紙面手前となった方向から見た正面図である。
【図２】図２は本発明の転写具の構造を示す分割斜視図（巻取軸部が上部）である。
【図３】図３本発明の転写具の筐体を除く構造を示し、（ａ）は巻取軸部側から見た正面図、（ｂ）は図１の状態に対する平面図、（ｃ）は送出軸部側から見た底面図、である。
【図４】図４は本発明の転写具の構造を示し、（ａ）送出軸部を上部として視た斜視図、（ｂ）はガイドピンとローラの拡大図、である。
【発明を実施するための形態】
【００２８】
本発明は、横引タイプの転写具において、送出軸部と巻取軸部を積層し、かつガイドピンをパスライン上に１本設けた構成とした場合において転写媒体が該ガイドピンの周面に接触して基材搬送（走行）及び使用に障害が生じるという問題点を、離型性材料で形成された回転自在なローラをガイドピンに設けることで解消した。
【００２９】
また、本発明は、ガイドピンにおける一方端側と他方端側の各々の中央に、外径が拡大又は縮小した部位を形成し、このガイドピンに柔軟性の高い離型性材料で形成されたローラを設けることで、ローラが基材のテンションに径方向で追従し、かつガイドピンが一方端側と他方端側のそれぞれの中央部位で基材幅中央をガイドする。よって、このようにすれば、ガイドピンの一方端部と他方端部を搬送される基材同士の接触が防止され、走行が安定する。
【実施例】
【００３０】
以下、図１〜図４参照して本発明の具体的実施形態について説明する。１は、本発明の転写具である。本発明における転写具１は、筐体２内に、転写媒体が塗布された基材（＝転写テープ）が巻装された送出軸部３、転写テープのうちの基材を巻き取る巻取軸部４、及び転写テープのうちの転写媒体を被転写体へ転写する転写部５を備えている。
【００３１】
なお、以下の説明では、特に転写媒体、転写テープと記さない限り、送出側及び巻取側の経路上で搬送されるのは基材（送出側ではこの基材に転写媒体が塗布されている、巻取側では基材だけが搬送される）であることから、全般的に「基材」と記して説明することとする。
【００３２】
また、図１〜図３は、巻取軸部４が転写具１の「上部」に、送出軸部３が転写具１の「下部」に、それぞれ現れるように示しており、図４は、巻取軸部４が転写具１の「下部」に、送出軸部３が転写具１の「上部」に、それぞれ現れるように転写具１を図１〜図３の状態から上下反転させて示している。ただし、視る位置が変わっただけで構成は同じである。
【００３３】
本発明における転写具１は、図２に示すように送出軸部３（図２では下部）及び巻取軸部４（図２では上部）を後述する軸２Ｃで積層され、筐体２が図１に示すように転写部５の転写テープの搬送面幅中央から送出軸部３及び巻取軸部４の後述する軸２Ｃを結んだ線を対称軸Ｌ（図１二点鎖線）として使用者の手前（図１では紙面下）と反手前側（図１では紙面上）で略対称に形成されている。
【００３４】
本発明における転写具１では、上記対称軸Ｌは、転写部５の転写面幅中央と送出軸部３の軸中心とを結んだパスラインを意味する。換言すれば、本発明の転写具１は、パスラインで対称とされた外径形状とされていることとなる。
【００３５】
また、本発明における転写具１は、転写テープを送出軸部３及び巻取軸部４の軸と直交するように捻って搬送する経路を有すると共に該送出軸部３及び該巻取軸部４の軸と直交する筐体２における対向面を被転写体に対して寝かして使用するために、上記対称軸Ｌ上に軸２Ｃと平行な１本のガイドピン６を有し、このガイドピン６の外周にローラ７を設けている。ガイドピン６とローラ７ついては後に詳述する。
【００３６】
筐体２は、図２に示すように、送出軸部３及び巻取軸部４の軸と直交する対向面を有する本体２Ａと蓋２Ｂとから構成されており、必要に応じて該本体２Ａと蓋２Ｂとを分離することができるように構成されている。なお、図示では本体２Ａと蓋２Ｂとを一体・分離するための構成を省略している。
【００３７】
本体２Ａ及び蓋２Ｂには、一体化した際に、転写部５を露出するための開口部２ａが形成され、また、後述のガイドピン６を枢支するための枢支凹部２ｂが該本体２Ａ及び蓋２Ｂの各々の対向面の内側に形成されている。
【００３８】
本体２Ａは、対向面の内面に、送出軸部３及び巻取軸部４の軸２Ｃが突設され、また、開口部２ａには転写部５における送出経路と先端を保護するためのカバー２Ｄが設けられている。
【００３９】
軸２Ｃにおける送出軸部３側の端部には、軸芯から外周に向けて常時外周に向けて付勢するばね体２Ｃａが設けられており、送出軸部３の軸内周に対して一定のブレーキ力を与えている。このばね体２Ｃａを設けることで、送出軸部３と巻取軸部４との回転の調和を保つことができる。
【００４０】
一方、本例では、例えば蓋２Ｂの対向面の内面で、巻取軸部４の巻装面に臨む位置には、巻取方向に斜面、反巻取方向に垂直面、とされたラック２Ｂａが形成されている。そして巻取軸部４の巻装面の内周部には、前記ラック２Ｂａと対応する爪４ａが形成されている。巻取軸部４の爪４ａと蓋２Ｂのラック２Ｂａとが係合することで、該巻取軸部４が逆回転することを防止している。
【００４１】
本体２Ａと蓋２Ｂのそれぞれの枢支凹部２ｂ，２ｂには上述のとおりガイドピン６が枢支されている。ガイドピン６は、転写部５の転写テープの搬送面幅中央から送出軸部３及び巻取軸部４の後述する軸２Ｃを結んだ対称軸Ｌ上に位置している。このように、ガイドピン６を対称軸Ｌ（パスライン）上に設けることで、搬送経路が偏って、基材が蛇行することが防止される。
【００４２】
ガイドピン６は、本例では、図４（ｂ）に示すように（図４は図１〜図３と送出軸部３と巻取軸部４の対応が上下逆となっている）、例えばガイドピン６の軸方向の一方端部（送出経路）と他方端部（巻取経路）の各々の中央に、外径が拡大した案内部６Ａを形成している。案内部６Ａを形成することで、送出経路と巻取経路の各々の経路においてガイドピン６を介して搬送される基材同士の端部が接触することを防止している。
【００４３】
なお、案内部６Ａは、送出経路と巻取経路の各々の経路においてガイドピン６を通過する基材同士の該ガイドピン６の一方端部と他方端部の各々の中央に位置させることを目的としているので、外径が拡大している構成に限定されず、外径が縮小していてもよい。
【００４４】
ガイドピン６の外周には、本例では、柔軟性の高い離型性材料、例えばシリコン、ポリエチレン、ポリプロピレン、テフロン（登録商標）で形成されたローラ７を設けている。ローラ７における柔軟性の高いとは、搬送経路における基材のテンションにより容易に（弾性）変形してガイドピン６の外径形状に追従することを意味する。
【００４５】
ローラ７が回転自在な離型性を有した材料を採用する理由は次のとおりである。送出軸部３において、転写テープは、基材の巻装外周側に転写媒体が塗布され、送出経路においては転写媒体が必ずローラ７に接触する。このとき、ローラ７が回転しないと共に離型性を有していないと、転写媒体がローラ７に接触した際に、該ローラ７へ剥離して取られる（ローラ７に付着する）可能性がある。したがって、ローラ７は、基材の離型性よりも高い離型性を有した上記材料を採用するのである。
【００４６】
上記構成の転写具１は、筐体２、本例では本体２Ａが被転写体に臨むように寝かせて使用する。送出軸部３から送り出された基材は、ガイドピン６及びローラ７を介して転写部５へ送られる。
【００４７】
ガイドピン６においてローラ７は、上述のとおり、送出経路における基材上の転写媒体と接触するが、ローラ７が離型材料でなること及び該ローラ７が回転することにより、ローラ７と転写媒体との接触による該転写媒体が剥がれたり、走行上の問題が無く、ガイドピン６の本例では案内部６Ａにより該ガイドピン６の送出側の位置で基材が案内されて転写部５へ向かう。
【００４８】
転写部５へ向かう途中で、基材は９０°反転され、該転写部５において被転写体と略水平状、つまり送出軸部３及び巻取軸部４の軸２Ｃと直交状となる。転写部５を経由した後、（転写媒体が被転写体に転写した）基材が再度９０°反転され、巻取経路に入り、ガイドピン６に到達する。
【００４９】
巻取経路では、上記同様に、ガイドピン６における本例では案内部６Ａにより該ガイドピン６Ａの巻取側の位置で基材が案内されて巻取軸部４へ向かう。このとき、ガイドピン６ではローラ７が送り出しと同方向に、該送り出しと連動して回転しているので、この巻取においてローラ７の回転が不調を生じることがない。その後、基材は巻取軸部４で巻き取られる。
【００５０】
このように、本発明の転写具１は、横引タイプであるので、手が被転写体を転写部位の邪魔にならず、視認性に優れて使いやすいという利点と、比較的幅の広い側面を把持することから持ちやすく使いやすいという利点を損なうことなく得ることができる。
【００５１】
また、本発明の転写具１は、送出軸部３と巻取軸部４が軸２Ｃで積層され、筐体２の側面形状の張り出しを使用者の手前と反手前とで均一的にしているので、右利き、左利きの使用感の差が顕著にならないという効果も得られる。
【００５２】
さらに、上記送出軸部３と巻取軸部４とを軸２Ｃで共通として積層する構成と共に、基材の搬送経路において、ガイドピン６をパスライン（対称軸Ｌ）上で１本設ける構成としているので、転写具１を小型化が可能であり、かつ使用時の基材の蛇行が生じにくい。
【００５３】
また、本発明の転写具１は、ガイドピン６に離型性を有すると共に回転自在なローラ７を設けることで、転写媒体が外側（基材に対して外周側）に塗布された転写テープの送出経路において、転写媒体とローラ７との接触で、転写媒体が取られて（付着して）しまうことに起因した使用上の問題が生じることがなく、上記の利点を全て得ることができる。
【００５４】
なお、上記実施例では、送出軸部３と巻取軸部４とは軸２Ｃにて同軸で積層する例を示したが、パスライン（対象軸Ｌ）上で転写部５の位置から遠い近いの距離差を設け、かつ各々の軸を、本体２Ａ及び蓋２Ｂのそれぞれの対向面内面に設けて積層する、つまり同軸ではない構成であってもよい。
【符号の説明】
【００５５】
１  転写具
２  筐体
２Ｃ  軸
３  送出軸部
４  巻取軸部
５  転写部
６  ガイドピン
６Ａ  案内部
７  ローラ
【図１】
2015074211.tif 000003
【図２】
2015074211.tif 000004
【図３】
2015074211.tif 000005
【図４】
2015074211.tif 000006